【事件の表示】
　特願２００４−２４３９８４「ネマティック液晶の高速化駆動方法」拒絶査定不服審判事件〔平成１７年　１月１３日出願公開、特開２００５−　１０８０３〕について、次のとおり審決する。
【結　論】
　本件審判の請求は、成り立たない。
【理　由】
第１　手続の経緯・本願発明
１　本願は、平成８年８月６日に出願した特願平８−２２１８２７号の一部を平成１４年７月２５日に新たな特許出願（特願２００２−２１７３３２号）としたものの一部を平成１６年５月２４日に新たな特許出願（特願２００４−１５３４２４号）としたものの一部を平成１６年８月２４日に新たな特許出願としたものであって、平成１７年１月２０日付けで手続補正がなされ、同年３月１１日付けで拒絶査定がなされ、これに対し、同年４月１５日に拒絶査定不服審判が請求されたものである。
　
２　本願の請求項に係る発明（以下「本願発明」という。）は、平成１７年１月２０日付け手続補正書によって補正された特許請求の範囲の請求項１に記載された以下のとおりのものである。
「【請求項１】
　ネマティック液晶に印加する電圧を、画像データに応じた第１の電圧と、前記画像データと関係のない一定の期間継続する一定の第２の電圧に所定の期間内で変化させるステップと、
　前記ネマティック液晶に前記第１の電圧を印加して前記ネマティック液晶の光透過率を前記画像データに応じた値とし、前記ネマティック液晶に前記第２の電圧を印加して前記画像データに応じた値に変化した前記光透過率を変化前の元の値に前記所定の期間内で戻すステップとを含むことを特徴とするネマティック液晶の高速化駆動方法。」
　
第２　引用例
１　原査定の拒絶の理由において引用された特表平８−５００９１５号公報（以下「引用例」という。）には、図面とともに以下の事項が記載されている。
　
（１）「【特許請求の範囲】
　・・・（中略）・・・
１６．
少なくとも実質的に透過状態と少なくともほぼ非透過状態とに駆動可能な光変調用画素の行および列のアレイと、前記表示パネルを照明して表示出力を生じる手段と、駆動手段であってこれに供給される所定のフィールドおよびライン速度を有するビデオ信号に従って前記画素を駆動することができる当該駆動手段とを具えるマトリックス表示システムの動作方法であって、前記画素の行が順次駆動され、前記供給されたビデオ信号の表示フィールドの表示情報が、ビデオ信号のフィールド周期よりかなり短い表示情報アドレス期間中に前記表示パネル内に書き込まれ、順次の表示情報アドレス期間がある時間間隔だけ分離されるマトリックス表示システムの動作方法において、前記表示パネルの表示フィールドが見る人に与えられる順次の期間が、ほぼ表示出力が生じない期間だけ分離されることを特徴とするマトリックス表示システムの動作方法。
　・・・（中略）・・・
２１．
請求項１６に記載の方法において、前記配列の画素を、前記順次の表示情報アドレス期間の間の時間間隔において、ほぼ非透過表示状態に駆動することを特徴とする方法。
　・・・（中略）・・・
２４．請求項１６から２３のいずれか１項に記載の方法において、前記表示情報アドレス期間および時間間隔の持続時間が、各々、供給されたビデオ信号のフィールド周期に相当することを特徴とする方法。
２５．請求項２４に記載の方法において、前記アドレス期間および時間間隔の持続時間が、各々、供給されたビデオ信号のフィールド期間のほぼ半分てあることを特徴とする方法。」（第２頁第１行〜第５頁第２２行）
（下線は当審で引いた。以下同じ。）
　
（２）「本発明は、マトリックス表示システム、特に、例えばＴＶ画像を表示するビデオ表示システムと、このようなシステムの動作方法に関するものである。
　本発明は、光変調用画素の行および列アレイを有する表示パネルと、前記表示パネルを照明する手段と、供給されたビデオ信号に従って前記画素を駆動する駆動手段とを具え、行を個々のフィールド期間内に順次に繰り返して走査することによって、前記画素が一行を一度に駆動される、例えば液晶表示システムであるマトリックス表示システムに関係する。
　液晶素子のような光変化画素を有する表示パネルを具え、ＴＶ画像を表示するビデオ表示システムは、よく知られている。大画面表示パネルは一般に、各画素に結合して表示品質を改善する、例えばＴＦＴまたは薄膜ダイオードであるアクティブスイッチング装置を含む。動作時に、表示パネルを光源によって絶えず照明し、画素が供給されたビデオ情報に従って光を変調させ、表示出力を形成する。画素は、行および列アドレス導線に接続され、入力ビデオ信号を標本化して得たビデオ情報データ信号が列導線上の各画素に伝送されるように、選択信号により列導線を走査することによって、一行を一度に順次駆動される。あるフィールド周期内にすべての行をアドレスした後、この動作を、順次のフィールド周期内で各行をアドレスして繰り返す。これらの既知のシステムにおいて、走査の、従ってフィールドの周期は、入力ビデオ信号と、供給されたビデオ信号の速度に相当する表示パネルのフィールド速度との信号のタイミングによって決定される。例えば、ＰＡＬ  ＴＶの場合、各々の画素の行は、６４マイクロ秒のライン期間内か、２０ミリ秒毎に１回生じフィールド期間に等しい順次のライン期間の時間間隔内にアドレスされる。特にアクティブマトリックス表示装置の場合、画素は、電荷が画素上に格納されるように効果的に分離されているので、画素によって形成された表示効果は、画素がその後のフィールド周期内で次にアドレスされるまで十分に維持される。
　例えばＴＦＴまたはＭＩＭとツイストネマチック液晶材料とを使用するアクティブマトリックスアドレスの使用は、例えばグレイスケール、コントラストおよび輝度といった、ある程度満足すべきであるビデオ表示に要求される条件の多くを実現する。見た目を満足させるために、表示システムは、ＴＶやコンピュータが生成した画像に見られる素早く動く像に関して良好な表示品質を与えられるようにすべきである。この点において、動いている像を表示している場合に生じるボケまたはスメアリング現象に関しては特に改善が必要である。この現象は、暗い背景に対して動いている明るい物に関して特に目立つ傾向がある。」（第６頁第３行〜第７頁第７行）
　
（３）「本発明によるマトリックス表示システムの第２の好適な実施例において、駆動回路は、順次の表示情報アドレス期間の間の時間間隔において、画素の配列を、ほぼ非透過表示状態に駆動することができる。
　本発明による方法の第２の好適な実施例において、順次の表示情報アドレス期間の間の時間間隔において、画素の配列を、ほぼ非透過表示状態に駆動する。
　この第２の実施例において、順次の表示情報アドレス期間の間の時間間隔において画素をほぼ非透過、すなわち黒に駆動することによって、順次の表示フィールドの見る人への表示の間に上述した「暗い」期間が挿入され、知覚される動いている物の解像度が改善される。
　表示パネルを、動作中に絶えず照明してもよい。しかしながら好適には、照明手段を前記時間間隔の間、オフにするか、少なくとも比較的低い光出力レベルに切り換える。すると前記暗い期間の暗さは強調され、コントラストが改善される。表示パネルを、例え、照明手段を、前記時間間隔の後の方の一部と次のアドレス期間の最初の部分とを具える期間に対して照明手段をオフまたは少なくとも比較的低いレベルに切り換え、従ってパネルの照明をアドレス期間の後の方の一部と前記時間間隔の最初の部分とに限定し、パネルからの順次の表示間の有効な休止期間をさらに増加させるのが好適であるとしても、アドレス期間の持続時間の間照明してもよい。パネルの断続的な照明は、パネルの駆動に同期して照明に供給される光源をオンおよびオフに点滅させることによって行うことができる。したがって、表示システムは、例えば、光源からの光が暗い期間の間表示する目的に使用されないような、パネルが常に照明されている状況と違って、光源からの光が必要なときのみ表示出力を形成するのに使用されるような、エネルギーを有効に使用する方法において動作する。これは、光源が出力消費の点で最も重要な構成要素である液晶表示システムにおいて、特に重要な利点である。
　前記時間間隔の間、好適には画素の配列の行を、画素を表示情報によってアドレスしたのと同様な方法で行毎に、または行の組毎に、ほぼ非透過状態に個々に順次駆動する。前記において、より便利にするために、同じ走査駆動回路を、アドレス期間および時間間隔の双方において、画素の駆動に使用できると考えた。画素の第１行の駆動を、時間間隔の開始にほぼ一致させてもよいし、代わりに、期間の開始後の予め定めた遅延時間後に始めてもよい。後者の場合、照明手段のオフまたは低レベル状態への切り換えを、遅延時間の終了にほぼ一致させてもよい。この遅延時間は、パネルが照明され、行が次に「黒」に駆動される前に表示情報によって表示出力が与えられている間の、画素の全ての行が必要な表示情報によってアドレスされた後の短い休止期間から成る。
　画素を非透過状態に駆動する時間間隔内に、代わりの方法、例えば、配列中の画素をほぼ同時にこの状態に設定する方法を使用することも考えられる。しかしながらこのような方法は、駆動回路を大幅に変更する必要がある。
　これらの好適な実施例の双方において、好適にはアドレス期間とそれに続く時間間隔とを合わせた期間を、供給されたビデオ信号のフィールド周期にほぼ相当させる。アドレス期間および時間間隔を、便利で簡単にするために、各々ビデオ信号のフィールド周期のほぼ半分に相当する持続時間にしてもよい。しかしながら好適には、２つの連続するアドレス期間およびその２つの時間間隔を、ビデオ信号のフィールド周期の持続時間に一致させれば、実際には同じ表示フィールドが１ビデオ信号フィールド周期内で表示パネルによって連続して２回表示される。代わりに、アドレス期間および時間間隔の組合せを、ビデオ信号フィールド周期より長くすることもできる。例えば、アドレス期間および時間間隔の組合せが２つのフィールド期間を占めるように時間間隔を選び、表示パネルがビデオ信号の表示フィールドを一つ置きに表示し、より簡単な駆動回路を使用できるようにすることができる。」（第１０頁第２８行〜第１２頁第１８行）
　
（４）「表示システムの第１および第２実施例は、それらの構成要素の多くが同様で、その動作が多くの類似点を共有しており、多くの点で類似している。したがって、次のような一般的な記述を、双方の実施例に適用することができる。
　図１および２を参照して、本表示システムは、ビデオ、例えばＴＶや画像を表示しようとするものであり、各行にｎ個の画素が水平に配置されたｍ行から構成される
画素の行および列の配列を有するアクティブマトリックスアドレス液晶表示パネル１０
　
表示パネル１０は
画素の一部を形成し
各々の透明画素電極１８
行および列導線１４および１６と、ＴＦＴ１１および電極１８とを、例えばガラスである透明プレート上に全て支える。このプレートと平行に、且つ分離して、パネルの全ての画素に共通の電極を構成する透明導電層がその上に形成された他の透明プレートがある。ツイストネマチック液晶材料をこの２枚のプレートの間に配置し、この２枚のプレートの周囲を適切に密封する。従来の方法においては、向かい合ったプレートに偏光層を設ける。
　・・・（中略）・・・
　
表示パネル１０を、一方の側に配置した
光源１９によって照明し、
パネルの他方の側に可視表示出力を生成する。液晶材料が、画素を通過した光を、その両端間に印加された電圧に従って変調させると共に、各画素は、パネルを通過した光を、その各々の画素の両端間に印加された電圧に従って変化させることができる。画素は、印加された電圧のレベルに従って動作し、ほとんど透過しない、すなわち黒から、ほぼ完全に透過する、すなわち白のレベルまで変動する、複数の透過レベルを形成する。
パネルを時間軸で行毎に駆動し、完全な表示画像を構成する。
１行を一度にアドレスすると、
ビデオ情報信号の電圧レベルに従って充電される。
画素に供給された電荷は、画素が次のフィールド期間において再びアドレスされるまで蓄積されるようにする。
ＴＶ信号
　・・・（中略）・・・
　選択信号を行導線にＴＶラインと同期して順次供給し、各選択信号がＴＶライン周期Ｔ１と等しい、またはそれより短い周期を有する、例えば６４マイクロ秒のＴＶライン周期を有する半解像度ＰＡＬ標準ＴＶ表示の場合、各行導線が２０ミリ秒の間隔で選択信号を供給されるようにする従来の駆動方法とは異なり、表示パネル１０を、入力ビデオ、ＴＶ信号のライン速度より速いライン速度で駆動する。欧州特許出願公開明細書第０４８７１４０号において、例えば供給されたＴＶ信号の２倍速いフィールド速度で表示パネルを駆動する、アクティブマトリックスＬＣディスプレイ装置の駆動方法が記述されている。この方法において、表示パネルの画素を、１ＴＶ信号フィールド周期に等しい周期内で同じ表示情報によって２回ロードする。これを達成するために、ビデオ信号をフィールド記憶装置に供給し、供給されたＴＶ信号のライン速度の２倍の速度でパネルを走査して、その内容を１標準ビデオ周期の間に２回連続して表示パネルに読み出す。これは、２０ミリ秒のフィールド周期と５０Ｈｚのフィールド速度とを有するＰＡＬ  ＴＶ表示信号の場合、表示パネルのフィールド周期が１０ミリ秒に短縮され、フィールド速度が１００Ｈｚに変換されることを意味する。図１および２に示すシステムの実施例の表示パネル１０の画素は、ある程度幾つかの類似点を持った方法で駆動される。再び図１および２を参照して、入力端子２５からビデオ信号を、アナログディジタル変換器２７および切り換えスイッチ２８を経て、ＴＶフィールド全体に関するディジタル化されたビデオ信号を保持する２個のディジタルフィールド記憶装置３０および３１の一方に供給する。切り換えスイッチ２８を回路２１によって、ＴＶフィールド信号が記憶装置３０および３１に交互に記憶されるように動作する。一方の記憶装置、例えば記憶装置３０がロードされている間、他方の記憶装置３１の内容を読み出し、同様に回路２１によって制御される切り換えスイッチ３２と、ディジタルアナログ変換器３３とを経て、ビデオ処理回路２４に供給する。一方の記憶装置内に格納された信号を、ライン毎に回路２４に読み出し、各ラインの読み出しは、ＴＶライン周期の半分を要する。行駆動回路２０は、ＴＶフィールドに関するデータ信号の供給に同期した従来の速度の２倍の速度において行導線を走査する。したがって、１ＴＶフィールドに関するデータは、ＴＶ信号フィールド周期の半分の周期内で表示パネルにロードされる。各行の画素がロードされた後、非選択信号を個々の行導線に供給し、この行のＴＦＴをオフに保ち、したがって記憶された書き込み表示情報を有する画素を分離する。ここまでは、図１および２のシステムの実施例の構成および動作方法は、大体において等しい。しかしながら、これらの動作は以後異なるので、これらの２つの実施例の動作を分けて記述する。」（第１３頁第９行〜第１６頁第１５行）
（審決注：第１３頁第１９行の「共通列導線１４」の記載は「共通行導線１４」の誤記であることが明らかであるから、訂正して摘記した。）
　
（５）「ここで図２のシステムの実施例を考えると、画素を、ＴＶフィールド周期の他の半分内に同じ表示情報によって再びアドレスする欧州特許出願公開明細書第０４８７１４０号に記述されている方法とは異なり、上述したような
ＴＶ信号フィールド周期の半分から成る表示情報アドレス期間内で１ＴＶフィールドに関するデータを表示パネル１０に書き込むのに続いて、画素の配列を、ＴＶ信号フィールド周期の残りの半分から成る期間内に再びアドレスしてほぼ非透過（黒い）状態に駆動する。
選択信号によって、選択信号を行駆動回路２０によって各行導線に順番に再び供給する。この期間が続いている間、画素をほぼ非透過状態に駆動するように選択される予め定めた基準電圧Ｖ
B
を列導線１６の各々に印加する。
　ＴＶフィールド期間の終わりにおいて、再びＴＶ信号のフィールド速度の２倍の速度において、通常の２倍の速度における行導線の走査に同期して次のＴＶフィールドを第１の記憶装置にロードしている間、次のＴＶフィールドに関するデータ信号が他の記憶装置から回路２４に読み出されるように、切り換えスイッチ２８および３２を動作する。この次のフィールドを表示パネル内にロードした後、以前のようにＴＶフィールド周期の残りの後半内で、ほぼ非透過表示状態に再び駆動する。この動作方法を、順次のＴＶフィールドに対して繰り返す。
　したがって、表示パネルの動作は、各々がＴＶ信号フィールド周期のほぼ半分、例えば１０ｍｓに相当する連続したほぼ等しい期間を必要とし、一つ置きの期間は、画素が各々のＴＶフィールドに関する表示情報によってロードされる間の第１の表示パネルフィールド期間を構成し、それらの間の時間間隔は、配列の画素を黒い状態に駆動する間の第２の表示パネルフィールド期間を構成する。これを図４に図式的に示し、ここでここでＴは時間を表し、Ｆ（Ａ）からＦ（Ｄ）は供給されたＴＶ信号ＶＳの４つの連続するフィールド期間を示す。表示パネルの動作期間の相対的なタイミングＤＰは、ｆ（Ａ）からｆ（Ｃ）が第１の表示パネルフィールド（表示情報アドレス）期間を示し、期間ｆ′がそれらの間の第２の表示パネルアドレス期間を示す。
　本実施例において、光源１９による表示パネル１０の照明を、パネルが予め定めた期間において照明されないようなパネルの動作に合わせて、選択的に制御する。さらに特に、照明手段を、期間（ｆ′）の後の部分と、続く表示情報アドレス期間（例えばｆ（Ｂ））との間オフにする。したがって、パネルは、予め定めた第１の表示情報アドレス期間、例えばｆ（Ａ）の後の部分と、次の期間の始めの部分の間照明される。パネルの照明は、その時の画素の表示状態の存在に依存して目に見える表示出力を生成する。この選択的な照明を、Ｉが期間中の照明強度を示し、Ｌが照明期間を示す図４にも示したように、期間ｆ′およびｆ（Ａ）、ｆ（Ｂ）、その他に同期した定期的な間隔において照明手段の光源をオンとオフとで点滅させることによって行う。各期間Ｌの第１の部分に関して、パネルの下部の画素は表示情報によってアドレスされており、一方期間Ｌの後の部分の間、パネルの上部の画素は黒い状態に設定されている。期間ｆ′の始めの部分の間の照明は、より下の行の画素が期間ｆ（Ａ）、ｆ（Ｂ）、その他の終わりごろに表示状態に設定されるのを考慮した動作を必要とする。図２に関して、光源１９の動作を、ユニット２１から適切なタイミング信号を受けるスイッチング回路２３によって制御する。
　したがって順次の表示出力は、一つ置きに暗いすなわち休止期間を見る人に表示し、これらの期間の持続時間は、ほぼ同一で、パネル照明の順次の期間にほぼ相当する。したがって得られる表示出力は、ＣＲＴディスプレイによって見る人に提供される種類の刺激に類似する。」（第１８頁第７行〜第２０頁第４行）
（審決注：第１８頁第１９行の「行駆動回路」の記載は「列駆動回路」の誤記であることが明らかであるから、訂正して摘記した。）
　
（６）「ここで図１および図２の双方の表示システムの実施例において、表示情報を与える方法と、表示パネルによって生成された動いている像の見る人による認識とに理由を与える。運動は、時間に関する空間上の位置の変化であり、通常の世界においては、時間は連続である。例えばＬＣディスプレイやＣＲＴのような、動いている像のデータを伝達するのに有効な種々の表示技術において、ある形式の量子化を画像伝送処理において行う。動いている像の時間の次元は量子化されているので、連続する運動は存在せず、代わりに、種々の時点における動いている物の空間上の位置を与える像の連続が得られる。この種の運動、いわゆる見かけの運動は、観察者によって、あるぎこちなさを条件として、真の運動と知覚されうる。時間内に変化した順次の像の表示によって生じる種々の形式の見かけの運動のうち、いわゆるベータ運動（Beta movement）すなわちみかけの空間的運動が、表示像中で知覚されるボケに関する最も適切なものである。特に順次の表示間の休止期間の持続時間が、運動を知覚する上で重要なパラメータであることを確かめた。
　ＣＲＴディスプレイにおいて、電子ビームを走査することによる励起に応答する画素からの光の放射の持続時間は、ＰＡＬ表示に関して、一般に２ミリ秒より短く、励起の周波数は５０Ｈｚ、すなわち２０ミリ秒毎である。したがって、明確な休止期間が順次の刺激の間に存在し、この理由のため、動きは大変効果的に知覚される。対照的に、従来のように駆動されるアクティブマトリックスアドレスＬＣディスプレイパネルの画素は、画像情報を、完全な（フィールド）周期の間、次にアドレスされるまで保持し、表示する。したがって、画像情報の順次の表示の間に、休止期間がほとんど存在しない。この違いは、ＣＲＴディスプレイに比較して従来のＬＣディスプレイに、速度に依存するボケが残る原因であると考えられる。画素が再アドレスされるときに、動いている物の空間上の位置における突然の変化が生じる。見る人の目は、動いている物の新たな空間上の位置を提示される一方、古い位置に焦点が合ったままである。次に見る人の目は新たな位置に移動し、これが生じている間、物はその間ずっと表示されている。これは、目が動きを追っている間、網膜上の像の動きになる。他方では、ＣＲＴディスプレイにおいて、目は順次の提示の間の休止期間内に、物の新たな予想される位置に移動することができ、目の刺激は休止期間の間には存在しない。実際には、これは、点滅して動いている像を網膜の同じ位置上に受けるであろうということを意味する。表示特性の違いを、同じ動いている物を見た場合の、現実の世界の状況Ｆ（Ｃ）と比較した、ＣＲＴと従来の方法で駆動されるアクティブマトリックスＬＣディスプレイパネルとの時間に対する動作を各々示すＦ（Ａ）およびＦ（Ｂ）において図式的に説明する。これらの図において、ＴおよびＰは、時間および位置を表し、ＦおよびＭは各々、フィールド周期（ＰＡＬ表示に関して２０ミリ秒）および、あるフィールドから次のフィールドへの移動である。
　図５（Ａ）に関して、ＣＲＴは見る人に、ここでは時間および位置において分離した動いている物を表す点によって示される離散した光出力を提示する。従来の方法で駆動されるアクティブマトリックス表示を示す図５（Ｂ）において、光出力は、実線で示したようにフィールド周期の間保たれる。各フィールドの終わりにおいて、出力は、新たな位置にすぐに移動する。
　図５（Ｄ）は、上述した方法において駆動される図１および２の表示パネル１０の出力の時間的な動作を説明する。図５（Ｂ）と比較して、動いている物を示す表示出力は、半分の時間のみ保たれる、すなわちｔ1がＦ／２以下であり、順次の表示出力間に期間ｔ2が存在し、ｔ2はＦ／２以上であることが分かる。したがって、この出力は、従来のように駆動される表示パネルの出力より、図５（Ｃ）の現実の世界の場合により似ており、そこからあまり逸脱しておらず、ＣＲＴディスプレイから得られる出力に近似している。その結果、動いている物を見ている場合に知覚されるボケは、従来のように駆動されるアクティブマトリックスＬＣディスプレイパネルにおいて見られるものに比較して、明らかに減少する。」（第２０頁第５行〜第２１頁第２６行）
　
（７）「図２の表示システムの実施例に関して、さらに、光源を点灯してパネルを照明する時間長を変化させてもよい。図４に示す実施例において、照明点灯Ｌは、期間ｆ（Ａ）、ｆ（ｂ）、その他のほぼ１／３と、期間ｆ′のほぼ１／４とを使用する。点灯の間隔を、例えより短い間隔の照明によってＣＲＴディスプレイの動作により近くなるとしても、期間ｆ（Ａ）、ｆ（ｂ）、その他のできるかぎり全てと、期間ｆ′もことによるとより多く使用するように増加することができる。点灯の間隔は、表示パネルからの合計の光出力を決定し、したがって好適には、用いられる光源の輝度を考慮して選択し、この点に関して表示品質を最適化する。反対に、ランプの輝度を、点灯の間隔を考慮して選択してもよい。
　常にパネルの照明をある期間に限定する必要はない。
表示情報アドレス期間の間の時間間隔中に画素を黒い状態に駆動することは、必要な休止期間をもたらし、それだけで十分である。この場合、光源を、パネルを連続して照明するように用意することができる。
　表示パネルの第１および第２アドレス期間（図４におけるｆおよびｆ′の各々）の相対的な持続時間も、ある程度変化させることができる。上述したように、これらの期間の各々は、ＴＶ信号のフィールド周期（Ｆ）のほぼ半分に相当する。　しかしながら、パネルアドレス期間ｆおよびｆ′を、例え複雑な駆動になるとしても、例えばおのおのがＴＶフィールド周期の１／３および２／３、またはその逆となるように異ならせることができる。
　特に本実施例において、画素の行を、時間間隔内に、時間間隔の開始および終了の各々によって、第１および最終行をほぼ同時に設定することによって行を交互に走査することによって非透過状態に設定する。しかしながら、画素をこの状態に駆動する他の方法を使用することもできる。例えば、行を、連続した行の組を順番に、またはできるかぎりほぼ全て同時に設定することができる。しかしながら、これらの後者の方法は、行駆動回路２０を変更する必要がある。
　さらに、画素の非透過状態への駆動は、間隔の開始時に始める必要はない。代わりに、図４に示すようなより短い予め定めた遅延時間を、画素をこの必要な状態に設定する前に、時間間隔の開始時に挿入してもよい。この遅延時間は、パネルが照明されている間の期間ｆ（Ａ）、ｆ（ｂ）、その他における、全ての画素が表示状態に設定された後に続く休止期間を構成する。この遅延時間ｄの終了時は、図４中に破線で示されるように、照明期間の終了時と一致させて選んでもよい。画素をこの間隔の残りの部分内でこの状態にするには、より速い走査速度を必要とする。これは行駆動回路をより高いクロック速度によって動作することによって達成することができる。」（第２２頁第２４行〜第２３頁第２８行）
　
２　上記１の各記載事項によれば、引用例には、
「少なくとも実質的に透過状態と少なくともほぼ非透過状態とに駆動可能な画素の行および列の配列を有するアクティブマトリックスアドレス液晶表示パネルと、前記アクティブマトリックスアドレス液晶表示パネルの一方の側に配置されて前記アクティブマトリックスアドレス液晶表示パネルを照明することにより前記アクティブマトリックスアドレス液晶表示パネルの他方の側に可視表示出力を生成するための光源と、駆動手段であってこれに供給される所定のフィールドおよびライン速度を有するＴＶ信号に従って前記画素を駆動することができる当該駆動手段とを具えるマトリックス表示システムの動作方法において、
　
　前記アクティブマトリックスアドレス液晶表示パネルは、時間軸で行毎に駆動されて完全な表示画像を構成するものであり、１行が一度にアドレスされると、アドレスされた行の全ての画素が、ＴＶ信号の表示フィールドの表示情報の電圧レベルに従って充電され、画素に供給された電荷が、画素が再びアドレスされるまで蓄積されるようにするものであって、画素の一部を形成する各々の透明画素電極と行および列アドレス導線とを支える透明プレートと、この透明プレートと平行に、且つ分離して、パネルの全ての画素に共通の電極を構成する透明導電層がその上に形成された他の透明プレートと、この２枚の透明プレートの間に配置されたツイストネマティック液晶材料と、向かい合った透明プレートに設けられた偏光層とを備えており、
　
　前記ツイストネマティック液晶材料が、画素を通過した光を、その両端間に印加された電圧に従って変調させることにより、各画素は、パネルを通過した光を、その各々の画素の両端間に印加された電圧に従って変化させ、ほとんど透過しない、すなわち黒から、ほぼ完全に透過する、すなわち白のレベルまで変動する、複数の透過レベルを形成し、
　
　順次の表示情報アドレス期間がある時間間隔だけ分離されており、前記配列の画素が、前記順次の表示情報アドレス期間の間の時間間隔において、ほぼ非透過表示状態に駆動され、
　前記供給されたＴＶ信号の表示フィールドの表示情報が、ＴＶ信号フィールド周期の半分から成る表示情報アドレス期間内で前記アクティブマトリックスアドレス液晶表示パネルに書き込まれるのに続いて、選択信号が行駆動回路によって各行アドレス導線に順番に再び供給されることにより、ＴＶ信号フィールド周期の残りの半分から成る期間内に前記画素の配列が再びアドレスされ、この期間が続いている間、画素がほぼ非透過（黒い）状態に駆動されるように選択される予め定めた基準電圧ＶBが列アドレス導線の各々に印加され、
　
　表示情報アドレス期間の間の時間間隔中に画素を黒い状態に駆動することは、必要な休止期間をもたらし、それだけで十分であって、前記光源が、パネルを連続して照明するように用意されており、
　
　前記表示パネルの表示フィールドが見る人に与えられる順次の期間が、ほぼ表示出力が生じない期間だけ分離されるマトリックス表示システムの動作方法。」の発明（以下「引用発明」という。）が記載されていると認められる。
　
第３　対比・判断
１　本願発明と引用発明とを以下に対比する。
（１）引用発明の「ＴＶ信号フィールド周期」は、本願発明の「所定の期間」に相当する。
　
（２）引用発明は、「ツイストネマティック液晶材料」を備えた「アクティブマトリックスアドレス液晶表示パネル」を具える「マトリックス表示システムの動作方法」であるから、「ネマティック液晶の駆動方法」といえる。
　
（３）引用発明の「アクティブマトリックスアドレス液晶表示パネル」は、「ツイストネマティック液晶材料」を用いたものであり、また、「前記アクティブマトリックスアドレス液晶表示パネルは、時間軸で行毎に駆動されて完全な表示画像を構成するものであり、１行が一度にアドレスされると、アドレスされた行の全ての画素が、ＴＶ信号の表示フィールドの表示情報の電圧レベルに従って充電され、画素に供給された電荷が、画素が再びアドレスされるまで蓄積されるようにするものであって」、しかも、「順次の表示情報アドレス期間がある時間間隔だけ分離されており、前記配列の画素が、前記順次の表示情報アドレス期間の間の時間間隔において、ほぼ非透過表示状態に駆動され、前記供給されたＴＶ信号の表示フィールドの表示情報が、ＴＶ信号フィールド周期の半分から成る表示情報アドレス期間内で前記アクティブマトリックスアドレス液晶表示パネルに書き込まれるのに続いて、選択信号が行駆動回路によって各行アドレス導線に順番に再び供給されることにより、ＴＶ信号フィールド周期の残りの半分から成る期間内に前記画素の配列が再びアドレスされ、この期間が続いている間、画素がほぼ非透過（黒い）状態に駆動されるように選択される予め定めた基準電圧ＶBが列アドレス導線の各々に印加され」るものである。
　そうすると、引用発明のツイストネマティック液晶材料を用いたアクティブマトリックスアドレス液晶表示パネルは、
ア　ＴＶ信号フィールド周期（本願発明の「所定の期間」に相当。）の半分から成る表示情報アドレス期間内で、画素がアドレスされ、ＴＶ信号の表示フィールドの表示情報（の電圧レベル）が書き込まれ、その書き込まれた電荷は、再びアドレスされるまで蓄積されるものであるとともに、
イ　ＴＶ信号フィールド周期（本願発明の「所定の期間」に相当。）の残りの半分から成る期間内に、その画素が再びアドレスされ、ほぼ非透過（黒い）状態に駆動するように選択される予め定めた基準電圧ＶBが印加されて、その印加により書き込まれた電荷は、次の表示情報アドレス期間において再びアドレスされるまで蓄積されるものであることになる。
　してみれば、引用発明は、本願発明の「ネマティック液晶に印加する電圧を、画像データに応じた第１の電圧と、前記画像データと関係のない一定の期間継続する一定の第２の電圧に所定の期間内で変化させるステップ」を備えているといえる。
　
（４）引用発明では、「前記表示パネルの表示フィールドが見る人に与えられる順次の期間が、ほぼ表示出力が生じない期間だけ分離される」とされているところ、「ほぼ表示出力が生じない」とは、引用発明の「アクティブマトリックスアドレス液晶表示パネル」について、「各画素は、パネルを通過した光を、その各々の画素の両端間に印加された電圧に従って変化させ、ほとんど透過しない、すなわち黒から、ほぼ完全に透過する、すなわち白のレベルまで変動する、複数の透過レベルを形成」するとされており、また、「表示情報アドレス期間の間の時間間隔中に画素を黒い状態に駆動することは、必要な休止期間をもたらし、それだけで十分であって、前記光源が、パネルを連続して照明するように用意されて」いることに照らせば、画素が黒の透過レベルを形成していることを意味すると解することが相当である。
　そうすると、引用発明では、「前記配列の画素が、前記順次の表示情報アドレス期間の間の時間間隔において、ほぼ非透過表示状態に駆動され」るものであって、具体的には、「選択信号が行駆動回路によって各行アドレス導線に順番に再び供給されることにより、ＴＶ信号フィールド周期の残りの半分から成る期間内に前記画素の配列が再びアドレスされ、この期間が続いている間、画素がほぼ非透過（黒い）状態に駆動されるように選択される予め定めた基準電圧ＶBが列アドレス導線の各々に印加され」るものであるところ、そのことによって、画素が「時間間隔」内で黒の透過レベルに到達するものと認められる。
　また、引用発明では、「表示情報アドレス期間」と「時間間隔」とが交互に存在することが明らかである。
　以上に照らし、さらに上記（１）〜（３）を踏まえれば、本願発明と引用発明とは、「前記ネマティック液晶に前記第１の電圧を印加し、前記ネマティック液晶に前記第２の電圧を印加して、前記光透過率を変化前の元の値に前記所定の期間内で戻す」との事項を備えている点で一致するといえる。
　
（５）上記（４）によれば、引用発明においては、前記第１の電圧を印加する直前のネマティック液晶の光透過率の値は元の値に戻っているのであるから、前記第１の電圧を印加することにより、前記第２の電圧を印加する直前の前記ネマティック液晶の光透過率の値は、前記第１の電圧の関数として定まることが明らかであり、そうである以上、「前記画像データに応じた値」となるといえる。
　してみれば、引用発明は、本願発明の「前記ネマティック液晶に前記第１の電圧を印加して前記ネマティック液晶の光透過率を前記画像データに応じた値と」するとの事項を備えているといえる。
　
（６）ア　本願発明は「ネマティック液晶の高速化駆動方法」に関するものであるところ、「高速化」に関して、本願の明細書（平成１７年１月２０日付け手続補正書によって補正されたもの。）には以下の記載がある。
　
「【００１０】
　本発明が解決しようとする課題は、駆動方法の変更により、従来から用いられているＴＮ型やＳＴＮ型のネマティック液晶の応答速度を速め、前述の３色バックライトによるカラー化や、動画再生においてブラウン管を使用したディスプレイと同等以上の性能を得ることを可能とすることであり、即ち、応答速度が速いネマティック液晶の高速化駆動方法を提供するものである。
【課題を解決するための手段】
　【００１１】
　本発明は、上記課題を解決するため、ネマティック液晶に印加する電圧を、画像データに応じた第１の電圧と、前記画像データと関係のない一定の期間継続する一定の第２の電圧に所定の期間内で変化させるステップと、前記ネマティック液晶に前記第１の電圧を印加して前記ネマティック液晶の光透過率を前記画像データに応じた値とし、前記ネマティック液晶に前記第２の電圧を印加して前記画像データに応じた値に変化した前記光透過率を変化前の元の値に前記所定の期間内で戻すステップとを含むことを特徴とするネマティック液晶の高速化駆動方法を提供する。
　・・・（中略）・・・
　すなわち、前記の課題を解決するためになされた本発明は、従来の液晶の駆動回路と異なるタイミングで液晶に電圧を印加することにより、液晶の応答速度を速めることを特徴とするものである。
　前記液晶に印加される電圧の極性が、前記コモン電極に前記選択パルスを印加した場合に反転する様に、前記コモン電極および前記セグメント電極に印加する電圧を設定してもよい。」、
「【００１５】
　従来、ネマティック液晶の応答速度は数十ミリセカンドから数百ミリセカンドかかっており、３色バックライトによるカラー化を実現できる応答速度を得ることは困難だと思われていた。
【００１６】
　本発明人は、３色バックライトによるカラー化を実現できる応答速度を持つ液晶パネルを開発するために、ネマティック液晶の印加電圧波形と光透過率の動的な特性の測定を行ったところ、印加電圧の波形によっては、印加電圧が変化した時に、光透過率が高速に変化する状態が存在することがわかった。
【００１７】
　この光透過率が高速に変化する状態を、繰り返し発生させることにより、従来の駆動方法に較べて応答速度が遥かに速く、コントラスト比のよい特性を得ることが可能となった。」、
「【発明の効果】
【００１８】
　以上のように本発明においては、液晶パネルに画像を描きその画像が完全に消えるまでが、１フレーム期間中に行われるため、非常に高速な応答速度が得られ、動画再生に最適な方式である。
【００１９】
　さらに、この駆動方式をＴＦＴ方式の液晶パネルに応用することにより、ＴＦＴ方式の液晶パネルの動作速度を改善することも可能である。」、
「【００２９】
　しかしながら、ごく一般的なＴＮ型の液晶材料を用い、ギャップを５〜６μｍとそれほど薄くないパネルを用いても、図２の様に光透過率が変化しており、光透過率がコモン電圧の変化に応じて変化を開始し元にの光透過率に戻るまでに要する時間は、１５〜２０ｍＳと非常に高速に動作している。」、
「【００３３】
　図５は、本発明の実施の形態において、セグメント電圧の変化の周期のみを変更した場合の、光透過率の変化の様子を示しており、１フレーム期間毎にセグメント電圧を変化させた場合には、１フレーム期間内でセグメント電圧を変化させた場合に比べて光透過率の変化の速度がかなり遅くなっていることがわかる。
【００３４】
　従って、セグメント電圧を早い周期で変化させることにより、液晶の光透過率が高速に変化する様になることがわかる。」、
「【００３７】
　本発明の実施の形態において、非選択時のセグメント電圧の変化の周期が光透過率の変化の速度に大きく影響することは示したが、光透過率が元の値に戻る時間は、液晶材料の特性、特に液晶材料の粘性などにより大きく変化する。
【００３８】
　従って、光透過率が元の値に戻る時間の短い液晶材料を選択することにより、フリッカーの発生を押さえながら、コントラスト比の高い表示を行うことが可能となる。
【００３９】
　また、光透過率が元の値に戻る時間が液晶材料の粘性などに大きく影響を受けることから、液晶パネルの温度を上げることにより、液晶材料を変更しなくてもコントラスト比の高い表示を行うことも可能である。」、
「【００４０】
　尚、本発明の実施例では単純マトリックス方式の液晶パネルへの応用例を示したが、単純マトリックス方式の液晶パネルを使用して、ＴＦＴ方式の液晶パネルよりも遥かに高速な応答速度を実現できる他、コントラスト比も同等に実現でき、視野角も良好であり、ＴＦＴ方式の液晶パネルと同等あるいはそれ以上の性能を実現できる。
【００４１】
　また、本発明は単純マトリックス方式の液晶パネルへの応用だけでなく、単純マトリックス方式の液晶パネルを使用して、ＴＦＴ方式の液晶パネルよりも遥かに高速な応答速度を実現できる他、コントラスト比も同等に実現でき、視野角も良好であり、ＴＦＴ方式の液晶パネルと同等あるいはそれ以上の性能を実現できる。」
　
イ　上記アの各記載事項によれば、本願の明細書では、従来の液晶の駆動回路と異なるタイミングで液晶に電圧を印加することにより、液晶の応答速度を速めるとしており、そのことを「高速化」と称していると解される（【００１０】、【００１１】）。
　そして、「従来の液晶の駆動回路と異なるタイミングで液晶に電圧を印加」することの具体的内容は、本願発明の「ネマティック液晶に印加する電圧を、画像データに応じた第１の電圧と、前記画像データと関係のない一定の期間継続する一定の第２の電圧に所定の期間内で変化させるステップと、前記ネマティック液晶に前記第１の電圧を印加して前記ネマティック液晶の光透過率を前記画像データに応じた値とし、前記ネマティック液晶に前記第２の電圧を印加して前記画像データに応じた値に変化した前記光透過率を変化前の元の値に前記所定の期間内で戻すステップとを含む」との事項であると解される。
　しかるところ、上記（１）〜（５）に照らせば、引用発明は上記事項を備えているといえるから、引用発明は「ネマティック液晶の高速化駆動方法」である。
　
ウ　なお、本願の明細書には、１フレーム期間毎にネマティック液晶に印加する電圧を変化させた場合には、１フレーム期間内で当該電圧を変化させた場合に比べて光透過率の変化の速度がかなり遅くなり、当該電圧を１フレーム期間内で変化させることにより、液晶の光透過率が高速に変化するとの趣旨の内容が記載されている（【００３３】、【００３４】）ところ、かかる内容によれば、上記イの上記事項における「所定の期間」は１フレーム期間を意味すると解する余地がある。
　しかしながら、仮にそのように解したとしても、上記（１）のとおり、引用発明における「ＴＶ信号フィールド周期」が本願発明の「所定の期間」に相当するのであって、「ＴＶ信号フィールド周期」は「１フレーム期間」を超えないことが当業者に自明であるから、引用発明においても、ネマティック液晶に印加する電圧を１フレーム期間内で変化させていることになり、結局、上記イの判断に影響するものではない。
　
２　上記１によれば、引用発明は、
「ネマティック液晶に印加する電圧を、画像データに応じた第１の電圧と、前記画像データと関係のない一定の期間継続する一定の第２の電圧に所定の期間内で変化させるステップと、
　前記ネマティック液晶に前記第１の電圧を印加して前記ネマティック液晶の光透過率を前記画像データに応じた値とし、前記ネマティック液晶に前記第２の電圧を印加して前記画像データに応じた値に変化した前記光透過率を変化前の元の値に前記所定の期間内で戻すステップとを含むネマティック液晶の高速化駆動方法。」である本願発明の特定事項を全て備えているものと認められ、両者の間に相違点はない。
　
　したがって、本願発明は引用例に記載された発明である。
　
第４　むすび
　以上のとおり、本願発明は、引用例に記載された発明であるから、特許法第２９条第１項第３号の規定に該当し、特許を受けることができない。
　よって、結論のとおり審決する。